(57)【要約】      （修正有）【課題】美化と装飾機能を有する複合板を提供する。【解決手段】複合板１は、第１の化粧層４０と第１のサンドイッチ層３０と第１の保護層５０とを含む。第１のサンドイッチ層３０が第１の化粧層４０の下方に位置し、第１の化粧層４０が第１の保護層５０の下方に位置する。第１のサンドイッチ層３０の材質は、樹脂に浸漬した３Ｄガラス繊維である。【選択図】図１
0003178833.tif 000002
【実用新案登録請求の範囲】
【請求項１】
第１の保護層と、
前記第１の保護層の下方に位置する第１の化粧層と、
前記第１の化粧層の下方に位置し、その材質は接着剤に浸漬した３Ｄガラス繊維とする第１のサンドイッチ層と、
を含むことを特徴とする複合板。
【請求項２】
前記第１のサンドイッチ層の下方に位置する基層を更に含むことを特徴とする請求項１に記載の複合板。
【請求項３】
前記基層の材質は、発泡体、或いは、軽質な防火材料であることを特徴とする請求項２に記載の複合板。
【請求項４】
前記基層と前記第１のサンドイッチ層の間に位置する金属薄片を更に含むことを特徴とする請求項３に記載の複合板。
【請求項５】
前記金属薄片は、アルミホイルであることを特徴とする請求項４に記載の複合板。
【請求項６】
第２の保護層と第２のサンドイッチ層と第２の化粧層とを更に含み、前記第２のサンドイッチ層は前記基層の下方に位置し、前記第２の化粧層が前記第２のサンドイッチ層の下方に位置し、前記第２の保護層が前記第２の化粧層の下方に位置し、前記第２のサンドイッチ層の材質が接着剤に浸漬した３Ｄガラス繊維であることを特徴とする請求項３に記載の複合板。
【請求項７】
前記第１の保護層の材質は、透明な樹脂を含むことを特徴とする請求項１、３、及び、５に記載の複合板。
【請求項８】
前記第１の保護層と前記第２の保護層の材質は、透明な樹脂を含むことを特徴とする請求項６に記載の複合板。
【請求項９】
前記第１の化粧層の材質は、シート、或いは、布であることを特徴とする請求項７に記載の複合板。
【請求項１０】
前記第１の化粧層と前記第２の化粧層の材質は、シート、或いは、布であることを特徴とする請求項８に記載の複合板。
【考案の詳細な説明】
【技術分野】
【０００１】
本考案は、複合板に関し、特に、３Ｄガラス繊維と樹脂からなる装飾用複合板の考案に関する。
【背景技術】
【０００２】
一般的に常用されている例えば木板、大理石板のような建築仕上げ板材、或いは例えば敷き鉄板のような交通板材は、いずれも良好な高靭性と装飾作用を有するが、その欠点は価格が非常に高く、重く且つ施工でも比較的手がかかる。よって建築と交通工業において複合板が開発されてきた。例えば特許文献１に開示されている複合板は、高靭性を提供するため、強化層を備え、強化層の材質を樹脂に浸漬した従来のガラス繊維布である。装飾の効果を提供するため、強化層の上方を樹脂に浸漬したパターン層である。パターン層の上方が透明な樹脂層で、パターン層を保護するために用いられ、また透明な樹脂層を通じてパターン層のパターンを見ることができる。しかしながら、従来のガラス繊維は性質が脆いという特徴があるため、高靭性にはやはり不足している。
【０００３】
また、特許文献２に開示されている複合板は、その中央層を樹脂に浸漬した従来のガラス繊維層で、ガラス繊維層の周囲を枠で覆い、枠の材質は半硬質の発泡体で、ガラス繊維層と枠がいずれも良好な高靭性を提供できる。中央層の上方と下方に各々少なくとも１つの強化層があり、強化層の材質がガラス繊維であるため、複合板の高靭性を更に強化させることができる。装飾の効果を提供するため、複合板の最上層は化粧層で、複合板の最下層を織布層とする。しかしながら、工業において往々にして起型方式により、寸法がちょうどガラス繊維層を覆う枠を製造し、寸法が異なるガラス繊維層のために枠を製作する場合、各種寸法が異なる枠の金型を別途製作しなければならない。こうすると高い製作コストが費やされなければならない。
【０００４】
よって、上記従来技術の問題点に鑑み、美観性、高靭性を兼ね備え、また施工し易く、安価で軽質な複合板を考案しなければならない。
【先行技術文献】
【特許文献】
【０００５】
【特許文献１】米国特許番号第４，７４６，５６０号
【特許文献２】米国特許番号第４，９８３，４４２号
【考案の概要】
【考案が解決しようとする課題】
【０００６】
本考案は、美化と装飾機能を有する複合板を提供することを主な目的とする。
【課題を解決するための手段】
【０００７】
上記目的を達成するため、本考案では複合板を提供する。本考案に係る第１の実施例において、複合板は第１の化粧層と第１のサンドイッチ層と第１の保護層と、を含む。第１のサンドイッチ層が第１の化粧層の下方に位置し、第１のサンドイッチ層の材質を樹脂に浸漬した３Ｄガラス繊維とする。第１の化粧層が第１の保護層の下方に位置する。
【０００８】
本考案に係る第２の実施例において、複合板は基層と第１のサンドイッチ層と第１の化粧層と第１の保護層と、を含む。基層の材質は発泡体或いは軽質な防火材料とする。第１のサンドイッチ層の材質を樹脂に浸漬した３Ｄガラス繊維とする。第１のサンドイッチ層が基層の上方に位置し、第１の化粧層が第１のサンドイッチ層の上方に位置し、第１の保護層が第１の化粧層の上方に位置する。
【０００９】
本考案に係る第３の実施例において、複合板は基層と第１のサンドイッチ層と第１の化粧層と第１の保護層と第２のサンドイッチ層と第２の化粧層と第２の保護層と、を含む。基層の材質は発泡体或いは軽質な防火材料とする。第１のサンドイッチ層と第２のサンドイッチ層の材質を樹脂に浸漬した３Ｄガラス繊維とする。第１のサンドイッチ層は基層の上方に位置し、第１の化粧層が第１のサンドイッチ層の上方に位置し、第１の保護層が第１の化粧層の上方に位置し、第２のサンドイッチ層が基層の下方に位置し、第２の化粧層が第２のサンドイッチ層の下方に位置し、第２の保護層が第２の化粧層の下方に位置する。
【００１０】
本考案に係る第４の実施例において、複合板は基層と金属薄片と第１のサンドイッチ層と第１の化粧層と第１の保護層とを、含む。基層の材質は発泡体或いは軽質な防火材料とする。第１のサンドイッチ層の材質を樹脂に浸漬した３Ｄガラス繊維とする。金属薄片が基層の上方に位置し、第１のサンドイッチ層が金属薄片の上方に位置し、第１の化粧層が第１のサンドイッチ層の上方に位置し、第１の保護層が第１の化粧層の上方に位置する。
【図面の簡単な説明】
【００１１】
【図１】本考案に係る第１の実施例の複合板を示す図である。
【図２】本考案に係る第１の実施例の複合板の立体分解図である。
【図３】本考案に係る第２の実施例の複合板を示す図である。
【図４】本考案に係る第２の実施例の複合板の立体分解図である。
【図５】本考案に係る第３の実施例の複合板を示す図である。
【図６】本考案に係る第３の実施例の複合板の立体分解図である。
【図７】本考案に係る第４の実施例の複合板を示す図である。
【図８】本考案に係る第４の実施例の複合板の立体分解図である。
【考案を実施するための形態】
【００１２】
以下、本考案の上記目的と他の目的、特徴及び長所を更に明確に分かりやすくするため、具体的実施例を添付図面に基づいて説明する。
【００１３】
（第１の実施例）
本考案に係る第１の実施例について図１及び図２を参照しながら説明する。図１は本考案に係る第１の実施例の複合板を示す図である。図２は本考案に係る第１の実施例の複合板の立体分解図である。
【００１４】
図１及び図２に示すように、第１の実施例において、本考案の複合板１は第１の保護層５０と第１の化粧層４０と第１のサンドイッチ層３０と、を含む。
【００１５】
第１の実施例において、第１の化粧層４０は木目調シート（印刷されたシート）或いは木目調布（印刷された布）で、複合板１の装飾効果を提供するために用いられ、第１のサンドイッチ層３０の上方に位置する。第１の保護層５０の材質は透明な樹脂で、第１の化粧層４０の上方に位置し、第１の保護層５０は第１の化粧層４０を保護するために用いられ、また第１の保護層５０の透明な樹脂を通じて第１の化粧層４０のカラー或いはパターンを見ることができる。第１のサンドイッチ層３０は複合板１の高靭性を強化するために用いられると共に第１の化粧層４０に接着する。第１のサンドイッチ層３０の材質に接着剤に浸漬した３Ｄガラス繊維（３Ｄ  Ｆｉｂｅｒｇｌａｓｓ、既知材料）を使用するよう推奨する。本実施例において、接着剤は樹脂を推奨する。第１のサンドイッチ層３０の３Ｄガラス繊維が樹脂を吸収すると共に凝固した後、３Ｄガラス繊維の内部に巣穴状構造を形成し、その高靭性は従来の単層ガラス繊維と比べても更に優れている。ただし本考案の接着剤は樹脂に限るものではない。第１の実施例の厚みが厚くなく、約０．３ｃｍ〜０．７ｃｍで、例えばタイルのような適した薄板材に代替する。
【００１６】
（第２の実施例）
本考案に係る第２の実施例については、図３及び図４を参照しながら説明する。図３は本考案に係る第２の実施例の複合板を示す図である。図４は本考案に係る第２の実施例の複合板の立体分解図である。
【００１７】
図３及び図４に示すように、第２の実施例と第１の実施例の相違点は、第２の実施例の複合板１ａが第１のサンドイッチ層３０の下方に位置する基層１０を更に含むことである。基層１０の材質は例えばポリウレタン（Ｐｏｌｙｕｒｅｔｈａｎｅ、ＰＵ）、エチレン酢酸ビニル共重合体（ＥＶＡ）、発泡性ポリスチレン（ＥＰＳ）、ポリエチレン（Ｐｏｌｙｅｔｈｙｌｅｎｅ、ＰＥ）等の発泡体、又は例えばシリカ、Ａｅｒｓｉｏ、人工ポゾラン（Ａｒｔｉｆｉｃｉａｌ  Ｐｏｚｚｏｌａｎａ）等の軽質な防火材料を推奨し、複合板１ａの肉厚及び遮音効果或いは防火効果を増強できる。基本的に第２の実施例の肉厚は、基層１０が最大部分を占める。第２の実施例の複合板１ａは例えば単面壁、単面仕切板とすることができる。
【００１８】
（第３の実施例）
本考案に係る第３の実施例については図５及び図６を参照しながら説明する。図５は本考案に係る第３の実施例の複合板を示す図である。図６は本考案に係る第３の実施例の複合板の立体分解図である。
【００１９】
図５及び図６に示すように、第３の実施例と第２の実施例の相違点は、複合板１ｂが第２のサンドイッチ層３１と第２の化粧層４１と第２の保護層５１とを更に含むことである。
【００２０】
第２のサンドイッチ層３１は基層１０の下方に位置し、その材質を樹脂に浸漬した３Ｄガラス繊維の使用を推奨する。第２の化粧層４１は木目調シート（印刷されたシート）或いは木目調布（印刷された布）で、複合板１ｂの装飾効果を提供するために用いれら、第２のサンドイッチ層３１の下方に位置する。第２の保護層５１の材質は透明な樹脂とし、第２の化粧層４１の下方に位置し、第２の化粧層４１を保護するために用いられ、また第２の保護層５１の透明な樹脂を通じて第２の化粧層４１のカラー或いはパターンを見ることができる。第３の実施例の複合板１ｂが、例えば間仕切壁とする場合、両面に装飾する効果を有する。
【００２１】
ただし、本考案の設計は、上記実施例に限られるものではなく、例えば第１の化粧層４０と第２の化粧層４１も木目調シートに限られるものではなく、他の種類のシート、布、ビニールシート等とすることができる。装飾外表は例えば石材、大理石模様、メタリックな質感の表面等とすることができる。第１の保護層５０と第２の保護層５１の材質も透明な樹脂に限定されることがないものとするが、透明、耐摩耗で表面コーティング処理（ｃｏａｔｉｎｇ）可能な材料をよしとする。
【００２２】
（第４の実施例）
本考案に係る第４の実施例については図７及び図８を参照しながら説明する。図７は本考案に係る第４の実施例の複合板を示す図である。図８は本考案に係る第４の実施例の複合板の立体分解図である。
【００２３】
図７及び図８に示すように、第４の実施例と第２の実施例の相違点は、複合板１ｃが基層１０と第１のサンドイッチ層３０の間に位置する金属薄片６０を更に含むことである。金属薄片６０は例えばアルミホイルを採用することができる。アルミホイルは耐熱又は断熱の効果を持ち、複合板１ｃの基層１０の発泡体が高温にあって溶けるのを防止、若しくは遅延させることができる。第４の実施例の複合板１ｃは、例えば防火建材とすることができる。
【００２４】
上記をまとめ、本考案は、目的、手段及び効果を問わず、いずれも従来技術の特徴とは異なり、審査官は、何卒ご審理の上、速やかに特許査定賜りますようお願いする次第であります。ただし、上記の多くの実施例は、説明の便宜のためだけに挙げた例であり、本考案が主張する権利範囲は、上記実施例に限定されることなく、当然実用新案登録請求の範囲で記載されるものを基準とする。
【符号の説明】
【００２５】
１、１ａ、１ｂ、１ｃ  複合板
１０    基層
３０    第１のサンドイッチ層
３１    第２のサンドイッチ層
４０    第１の化粧層
４１    第２の化粧層
５０    第１の保護層
５１    第２の保護層
６０    金属薄片
【図１】
0003178833.tif 000003
【図２】
0003178833.tif 000004
【図３】
0003178833.tif 000005
【図４】
0003178833.tif 000006
【図５】
0003178833.tif 000007
【図６】
0003178833.tif 000008
【図７】
0003178833.tif 000009
【図８】
0003178833.tif 000010